(57)【要約】【課題】建物に設備されたホームオートメーション機器を携帯型リモコンとリレーで操作できるようにした通信方法を提供する。【解決手段】携帯型リモコン２、リレー３、及びホームオートメーション器具４、７、１０，１１を含み、少なくとも幾つかのホームオートメーション器具が携帯型リモコンから送信された制御コマンドをワイヤレスチャネル経由で受信できる設計のホームオートメーション設備を操作する方法である。これは、携帯型リモコンによってリレーに送信された特定のコマンドをホームオートメーション器具が受信すると、制御コマンドがシナリオに従って選択的にリレーからホームオートメーション器具に同じ通信媒体を介して送信されるような方法である。【選択図】図１
2007215185.tif 000002
【特許請求の範囲】
【請求項１】
携帯型リモコン（２）、リレー（３）、及び、ホームオートメーション器具（４、７、１０、１１、４０、４１）を含み、且つ、少なくとも幾つかのホームオートメーション器具が前記携帯型リモコンから送信された制御コマンドをワイヤレスチャネル経由で受信できる設計のホームオートメーション設備（１）を操作する方法であって、前記携帯型リモコンにより前記リレーに送信された特定のコマンドを前記ホームオートメーション器具が受信すると、制御コマンドがシナリオに従って選択的に前記リレーから前記ホームオートメーション器具に同じ通信媒体を介して送信される方法。
【請求項２】
前記リレーを前記ホームオートメーション器具とペアにし、前記リレーを前記携帯型リモコンとペアにする予備ステップを含むことを特徴とする請求項１に記載の操作方法。
【請求項３】
前記リレーにおいて、シナリオに含まれたホームオートメーション器具に送信すべき制御コマンドを特定するシナリオを定義する予備ステップを含むことを特徴とする請求項１又は２に記載の操作方法。
【請求項４】
前記シナリオを定義するステップが、前記リレーにおいてセレクタ（３９）の状態を読み取るサブステップ、及び／又は、センサ（６、８、１３）により測定されたデータを特定するサブステップを含むことを特徴とする請求項３に記載の操作方法。
【請求項５】
センサにより測定されたデータを前記ホームオートメーション器具の動作と関連させるステップを含み、このステップが前記シナリオを定義するステップへの予備的なステップであることを特徴とする請求項４に記載の操作方法。
【請求項６】
前記シナリオが前記リレーにおいて定義されることを特徴とする請求項１から５の何れか１項に記載の操作方法。
【請求項７】
前記ホームオートメーション器具に選択的に送信される前記制御コマンドが前記リレーにおいて生成されることを特徴とする請求項１から６の何れか１項に記載の操作方法。
【請求項８】
前記リレーにおいて予備セーブされたシナリオが、実行されると、建物の出入口を閉め、照明スイッチを切る動作が行われることを特徴とする請求項１から７の何れか１項に記載の操作方法。
【請求項９】
携帯型リモコン（２）、リレー（３）、及び、ホームオートメーション器具（４、７、１０、１１、４０、４１）を備え、且つ、少なくとも幾つかのホームオートメーション器具が前記携帯型リモコンから送信された制御コマンドをワイヤレスチャネル経由で受信でき、前記携帯型リモコンが、請求項１〜８の何れか１項に記載の操作方法を実行するためのハードウエア手段（２１、２２、２４、３１、３２、３４）及びソフトウエア手段を備えるホームオートメーション設備（１）。
【請求項１０】
前記リレーが、前記シナリオを実行するための特定制御コマンドを、前記ホームオートメーション器具宛ての各種制御コマンドに翻訳する手段（３２、３４）を含むことを特徴とする請求項９に記載のホームオートメーション設備。
【発明の詳細な説明】
【技術分野】
【０００１】
本発明は、携帯型リモコン、リレー、及び、ホームオートメーション器具を含み、且つ、少なくとも幾つかのホームオートメーション器具が携帯型リモコンから送信された制御コマンドをワイヤレスチャネル経由で受信できる設計のホームオートメーション設備を操作する方法に関するものである。本発明はまた、かかる方法に従って動作するホームオートメーション設備に関するものである。
【背景技術】
【０００２】
ホームオートメーションの分野では、建物の開口部に取付けられた各種電気器具（例えば電動式巻上げブラインド、電動式ガレージ扉、電動式ロック）を、特に、制御コマンドを電磁波により、また特に、無線周波により制御コマンドを送信するリモコンを使って、ワイヤレスで遠隔制御することが、ユーザにとって可能である。
【０００３】
この分野では、また、ハイファイ製品やビデオ製品の制御を伴った関連分野では、ユーザの利便性を高め、制御を単純化したいという要求がある。そのため、シナリオタイプの制御ボタンがリモコンで使えるようになっている。この制御ボタンは、ハイファイ製品やビデオ製品の制御だけでなく、これらの製品が置かれている室内の照明レベルの制御にも所定の方式を適用するのに使用される。そのシナリオをセーブするために、様々な構成方法が先行技術から知られている。
【０００４】
ユーザは、リモコンにおいてスクリーンタイプのユーザインタフェースと協働し得る１個又は１組のボタンを使えるという利点がある。この手段をもってすれば、ユーザは、メモリに記憶されているシナリオを呼出し、その実行を制御することができる。
【０００５】
例示のシナリオは、ユーザの外出と関連したシナリオである。このシナリオに従い、ユーザは自宅を出るとき、自宅内のすべての電気器具のスイッチが切られ、自宅のドアが施錠されることまで望むのである。
【０００６】
特許文献１は、「オール・オフ」と呼ばれるボタンを有する制御パネルを使って制御されるホームオートメーションシステムを開示している。このボタンを押すだけで、必要とされない器具は全てスイッチが切られる。同様に、ユーザの外出用に特化されたボタンを設けることができる。この制御パネルは持ち運びできるようにすることができる。これは、非常に多くの器具をまとめて制御するのに使用できるだけに、作りがかなり複雑である。ある一定の手順のために多数の器具と通信するので、それ相当の電源と情報処理リソースを有する必要がある。
【０００７】
特許文献２も、リモコン、リレー、及び電気器具を含むホームオートメーションシステムを開示している。電気器具は、リモコンによりリレーを介して制御される。制御コマンドは、リモコンで定義され、リレーで単純に定式化される。そのため、リモコンが生成するのは、シナリオを実行するためのコマンドでなく、むしろ、リレーに送信されてから関連する器具に向けて発せられる一連の制御コマンドである。
【０００８】
【特許文献１】米国特許第６２９７７４６号
【特許文献２】米国特許出願第２００４／０２０３３８７号
【発明の開示】
【発明が解決しようとする課題】
【０００９】
しかしながら、特許文献１のリモコンは、それが持ち運び可能であるがために、これら全ての器具がある範囲内において、多数の器具を制御するために操作されると、確実性を欠く可能性がある。また、特許文献２によるリモコンは、元々直接的に器具を制御することができない。
【００１０】
本発明の目的は、上述の課題を解消し、先行技術から知られている方法を改良する通信方法を提供することである。特に、本発明は、建物の開口部の開閉を遠隔操作する分野におけるシナリオの制御を単純化できるようにする一方、広範な可能性を提供する単純な方法を提案する。
【課題を解決するための手段】
【００１１】
本発明による操作方法は、携帯型リモコンによりリレーに送信された特定のコマンドをホームオートメーション器具が受信すると、システム制御コマンドがシナリオに従って選択的にリレーからそのホームオートメーション器具に同じ通信媒体を介して送信されるという方法である。
【００１２】
この操作方法を実行する様々な方法が、従属請求項２〜８において規定されている。
【００１３】
本発明によるホームオートメーション設備は、携帯型リモコン、リレー、及びホームオートメーション器具を含む。少なくとも幾つかのホームオートメーション器具が、携帯型リモコンから送信された制御コマンドをワイヤレスチャネル経由で受信できる。携帯型リモコンは、前述の操作方法を実行するためのハードウエア手段とソフトウエア手段とを含む。
【００１４】
リレーは、シナリオを実行するための特定制御コマンドを、ホームオートメーション器具宛ての種々の制御コマンドに翻訳する手段を含むことができる。
【発明の効果】
【００１５】
本発明によれば、携帯型リモコンによりリレーに送信された特定のコマンドをホームオートメーション器具が受信すると、システム制御コマンドがシナリオに従って選択的にリレーからそのホームオートメーション器具に同じ通信媒体を介して送信されるので、建物の開口部の開閉を遠隔操作する分野におけるシナリオの制御を単純化できると共に、広範な可能性を提供する単純な方法が実現できる。
【発明を実施するための最良の形態】
【００１６】
図１に示すホームオートメーション設備１は、主に、携帯型リモコン２、リレー３、及び、建物２０を備えた１組のホームオートメーション器具４、７、１０及び１１を含む。
【００１７】
携帯型リモコン２は、電磁波の形の制御コマンドの送受信機２１、及び、これと結合したアンテナ２８を含む。これらは内蔵電源２３（例えば電池）を動力源としている。これはまた、様々な器具に個別の制御コマンドを直接送信する動作を引き起こす制御ボタン２６の組を備えたユーザインタフェース２４を含む。マイクロコントローラ２２が送受信機２１及びユーザインタフェース２４に接続されている。例えば、このマイクロコントローラは、門扉の開閉、ガレージ扉の開閉、屋外灯スイッチの入り切り、及び、玄関扉の施錠／解錠を制御するのに使用されるアクセスリモート制御であってよい。
【００１８】
リモコンは、好ましくは小さくて、容易に持ち運べるものが良く、特に、鍵の束と共に持ち運びできるものが良い。
【００１９】
携帯型リモコンはまた、特に、制御中の器具がユーザの居る場所から見えない時、制御コマンドの正確な実行をユーザに知らせ、ユーザに見える仕方で文字化できるようにする手段２５を含む。２個の色違い（例えば緑色と橙色）の発光ダイオード、又は、１個の二色発光ダイオードが、この目的のために使用できる。
【００２０】
リモコンはまた、シナリオの実行を制御するのに使用される少なくとも１個のボタン２７を備えている。このボタンは「ハウスボタン」と呼ばれる。リモコンに、シナリオの実行を制御するのに使用される別のボタンを持たせることができる。
【００２１】
上述した様々な家庭内電気器具と通信するために、リモコンは先ずこれらの器具とペアにされる。すなわち、リモコンと器具の間で通信リンクが作られ、情報が制御コマンドであるか他の何らかの種類のメッセージであるか見分けられるように識別子が交換される。
【００２２】
更に、リモコンは、好ましくは建物内におかれたリレー３とペアにされる。このリレーは、電磁波の形の制御コマンドの送受信機３１、及び、これと結合したアンテナ３８を含む。これはまた、１組の［構成］ボタン３６を備えたユーザインタフェース３４、及び、ユーザに通知するための手段３５、例えばスクリーンなどを含む。マイクロコントローラ３２が送受信機３１とユーザインタフェース３４にリンク結合している。
【００２３】
リレー自体はある一定の数の器具とペアにされるが、こちらの器具は、リモコンがペアになった相手の器具と異なるものであっても共通のものであっても良い。ここでは、リレーが、ロック及びセンサ１３を含む電動式ロック装置１１、巻上げブラインド５及びセンサ６を含む電動式巻上げブラインド装置４、警報システム１０、ランプ９及びセンサ８を含む照明装置７、電動式門扉装置４０、及び、電動式ガレージ扉装置４１とペアにされると仮定する。
【００２４】
上述したケースでは、リモコンは、例えば、電動式門扉、電動式ガレージ扉、及び警報装置とペアにされる。
【００２５】
リレーはハウジング内に位置決めされており、これがペアになった相手の器具とワイヤレスで通信することができる。
【００２６】
リモコンの制御ボタンを押すことにより、リモコンとペアになっている器具は直接制御される。
【００２７】
ホームボタンを押すと、特定制御コマンドがリモコンによってリレー宛に送信される。リレーは、この特定制御コマンドをシナリオ実行コマンドと解釈し、ユーザが期待するシナリオ機能を果たすべく、様々な器具に宛てて送信する制御コマンドに翻訳する。
【００２８】
ホームオートメーション設備を操作する第１の方法によれば、特定制御コマンドは、電動式器具を止める一般的コマンドであり、及び／又は、他の電気器具のスイッチを切るコマンドである。リレーは、この制御コマンドを受信し、その後にペアになった相手の、シナリオに含まれる様々な器具に宛ててそのまま制御コマンドを送信する。リレーとペアになった器具は、リモコンとペアになった器具と異なるものであって良いので、リモコンにより直接制御されない様々な器具の動作、又は反応を含むシナリオを作成することが可能である。そうすることにより、ユーザが外出するとき、ハウスボタンを押すと、巻上げブラインドは閉じられ、照明スイッチは切られ、ガレージ扉と門扉は閉じられる。リレーだけがこのシナリオに含まれる器具を認識できるようにしておけば、このシナリオはリレーにおいて定義される。
【００２９】
ホームオートメーション設備を操作する第２の方法によれば、リレーのマイクロコントローラ３２は、リレーが受信した特定制御コマンドに応答して様々な器具に対してアドレス指定された制御コマンドを生成するのに使用することができる。携帯型リモコンからの特定制御コマンドは、常に、それがペアになった相手のリレーに対して直接アドレス指定される。以下、通信における様々なステップを図２に基づいて説明する。
【００３０】
最初のステップ１００において、ユーザはリモコンのハウスボタンを押す。すると、リモコンは電磁波送信機を使って特定制御コマンドを送信する。
【００３１】
ステップ１１０において、リレーはこのコマンドを受信する。リレーは、必要であれば確認応答メッセージを送信できる。このメッセージは携帯型リモコンにより受信され、ステップ１１５においてユーザに通知される。リモコンは、確認応答メッセージを所定時間内に受信しなかった場合、エラーメッセージを表示することができる。特定制御コマンドがリレーにより受信されると、ステップは、シナリオを定義するステップ１２０に切り替わる。このシナリオは、例えば、これが設定されたときにリレーで予め定義された１組のパラメータに依存するものであって良い。シナリオ定義の詳細な例を下で説明する。
【００３２】
シナリオの定義は、ステップ１３０において、これがペアになった相手の、シナリオに含まれる様々な器具に向けてのある一定の制御コマンドの生成と送信につながる。これらのコマンドは、各々の器具又は器具グループに特定のものであってよい。
【００３３】
ステップ１４０において、リレーからの１つの制御コマンドが様々なホームオートメーション器具により受信される。このコマンドは、可能であれば、ステップ１５０において実行される。二方向コマンド送受信機を有する器具の場合は、制御コマンドが実行中であることを報告するメッセージを送信でき、このメッセージはリレーから携帯型リモコンへと転送され得る。ステップ１５１及び１５２において、情報は、リレー側及びリモコン側に設けられた様々な手段によりユーザに通知される。
【００３４】
二方向コマンド送受信機を有する器具の場合は、また、必要であれば、以下を確認する情報メッセージをステップ１６０において生成し、ステップ１７０において送信することができる。
・コマンドが正しく受信されたこと
・コマンドが正しく実行されたこと
・又は、反対に、あるイベントがこのコマンドの実行を妨げたこと
【００３５】
ステップ１８０において、リレーは、シナリオに含まれる器具からの情報メッセージを受信する。ステップ１９０において、リレーは、リモコン宛ての情報メッセージを作成するが、このメッセージは一般に、器具から送信された情報メッセージ全部の送信である。このメッセージは、基本的に、シナリオに含まれる器具が全部、コマンドを受信した順序で本当に実行したことを確認したとき、肯定メッセージであり得るが、器具が１つでも、コマンドの実行においてエラーを通知したとき、否定メッセージであり得る。
【００３６】
ステップ１９５において、この単純化された情報メッセージは、リレーによりリモコンに送信される。ステップ１９７において、この情報メッセージは、情報手段を通じてシナリオ実行の成功又は失敗をユーザに通知する。実行成功の場合は、緑色ＬＥＤの照光によって通知され、実行失敗の場合は、橙色ＬＥＤの照光によって通知される。情報を表示する手段としては、他の既知のどんな手段、又はどんな組み合わせの手段も使用することができる。
【００３７】
一方、リレーによりリモコン宛てに送信された情報メッセージは、より複雑な形にすることができる。例えば、情報メッセージは、シナリオのコマンドの受信の成功又は失敗に関する情報を含み、及び／又は、同コマンドの実行の成功又は失敗に関する情報も含む形にすることができる。また、エラー原因の情報を含む形にすることもできる。
【００３８】
好ましくは、リレーはまた、リモコンにおけるより高性能の表示手段を備えている。この表示手段は、都合が良いことには、問題の原因を理解するためにシナリオが実行されなかった場合に、ユーザが使用することができる。表示手段は、ユーザからの要求があった時だけ使用できる。この表示手段はまた、リレーを設定するのに使用できる。
【００３９】
リレーにおけるシナリオ定義の第１の変形実施例を以下に図３に基づいて説明する。
【００４０】
この第１の変形実施例では、リレーがボタン又は接点を付けたユーザインタフェースを含み、ユーザがこれを使って或る一定の状態を選択できると仮定する。例えば、リレーハウジングは、例えば以下のような特定のシナリオを選択するのに使用できるシナリオセレクタ３９を有する。
・「完全閉鎖」のシナリオ
・「警報付き部分閉鎖」のシナリオ
・「警報のみ」のシナリオ
設備の使用を単純化するため、外出シナリオが、リレーでのデフォルトとしてメモリに保存される。
【００４１】
通常、ユーザが選択するのは「警報付き部分閉鎖」のシナリオである。リモコンのハウスボタンを押すと、出入口扉（門扉、ガレージ扉）は閉められるが、シャッタの方は開いたままである。警報が起動させられ、全部が欧州特許第１４０５２８０号の中で述べられた通りに作動できる。
【００４２】
しかしながら、ユーザは、休暇で家を出る前に「完全閉鎖」のシナリオを選択することができる。家を出るときに、リモコンの同じハウスボタンを１回押すだけで、出入口扉も巻上げブラインドも閉じられ、建物の警報システムは起動させられるのである。
【００４３】
一方、ユーザは「警報のみ」のシナリオを選択し、例えば自分の在宅中に、屋外の警報を作動させるだけにすることもできる。
【００４４】
この第１の変形実施例では、すでに述べた制御コマンド受信のステップ１1０の後、ステップ１２１において、リレーはシナリオセレクタの状態を読み取る。ステップ１２２において、リレーは、制御する必要のあるシナリオを特定する。このシナリオが特定されると、すでに述べたステップ１３０において、リレーは、それを実行するために必要な制御コマンドを生成して送信する。
【００４５】
リレーにおけるシナリオ定義の第２の変形実施例を以下に図４及び図５に基づいて説明する。
【００４６】
リレーは、例えば、以下に述べる通りに設定されている。ステップ２００において、シナリオの実行環境が定義される。このステップにおいて定義されるのは、特に、リモコンのハウスボタンとリレーで定義されたシナリオの間の関係であり、シナリオに含まれるホームオートメーション器具はここで選択される。この器具の選択は、既知のやり方で、又は、リレーとペアになった器具全部を単純に組み合わせるだけの方法で行われるが、これに加えて、ユーザは、１つ以上のセンサ又は自動機能をリレーに内部的に関連させることも、又は、それが適当であれば、建物内で例えばホームオートメーション器具により使用される形で関連させることもできる。
【００４７】
ステップ２１０において、図１の設備を考慮して、ユーザは例えば、巻上げブラインドと関連したセンサ６、又は、照明装置７と関連したセンサ８を使用することができる。センサ６は、例えば、巻上げブラインドを、日中の時刻に従って駆動する時計内蔵の自動機能とすることができる。センサ８は、例えば、在室センサと輝度センサを組み合わせたものとすることができる。この構成では、これらのセンサとリレーの間における機能的リンク、それも、これらのセンサにより測定されたデータをリレーが受信できるような機能的リンクが確立される。
【００４８】
ステップ２２０において、ユーザは、シナリオを定義するのに使用されるイベント、及び、選択されたセンサにより検出できるイベント、例えば特別なスケジュール、輝度閾値などを選ぶ。
【００４９】
ステップ２３０において、ユーザは、これらのイベントと応答、すなわち、１つ以上の器具により実行すべき１つ以上の動作を関連させる。
【００５０】
ステップ２４０において、ホームオートメーション器具と関連させるべき制御コマンドがメモリに保存される。
【００５１】
リレーは一度設定されれば動作できる。
【００５２】
その動作の仕方を図５に基づいて説明する。
【００５３】
すでに述べた制御コマンドを受信するステップ１1０の後、リレーは、ステップ３００において、選択された様々なセンサに、シナリオに影響し得る日常的イベントを特定する照会メッセージを送信する。例えば、所定の時刻より前は、外出シナリオが単純に入口扉の施錠と警報の起動を生じさせるだけであるのに対し、その時刻より後では、外出シナリオは、入口扉の施錠と警報の起動を生じさせるだけでなく、巻上げブラインドを閉める動作も生じさせる。
【００５４】
ステップ３１０において、リレーにイベントが認識されると、リレーはそのメモリの中で、当該イベントと先に定義された応答との相関関係を探索する。
【００５５】
ステップ３２０において、リレーはシナリオを定義する、すなわち、シナリオに含まれる様々な器具に送信すべき制御コマンドを特定する。
【００５６】
このシナリオが特定されると、すでに述べたステップ１３０において、リレーはその実現に必要な制御コマンドを送信する。
【００５７】
これで、全く同じリモコンのハウスボタンを押した後は、ユーザの必要とする以外の部分（設備設定ステップ以外の部分）に一切干渉することなく、多数のシナリオを実現させることができる。
【００５８】
好都合であることに、図３及び図５に基づいて述べたシナリオ定義の２つのバリエーションを組み合わせることができる。実際、リレーは、一方でセンサから提供されたデータに従って、他方でリレー側に設けられたシナリオセレクタの状態に従ってシナリオを定義することができる。
【００５９】
他の変形実施例、例えば、携帯型リモコンから発せられる特定制御コマンドの受信に続いて、器具に送信すべきコマンドを限定するリレーの使用と、関連した形のシナリオ定義の変形実施例は、もちろん可能である。
【００６０】
これまでに説明した設備におけるリレーの使用により、携帯型リモコンのリソース（動力源及びデータ処理という意味での）を節約することができる。これは、リモコンから様々な器具に向けて単一のコマンドが送信されるだけで、複数のコマンドが送信されるのではないからである。
【００６１】
リレーに関する限り、リレーは、電力源にワイヤで接続することができ、様々なコマンドの送信をより大きい電力、従ってまた、より大きい範囲で管理することができる。これで、範囲境界に置かれた器具が携帯型リモコンから送信されたコマンドを受信しなくなる危険は取り除かれる。
【００６２】
上述の説明から分かるように、リレーには、コマンドが本当に各器具により受信されたか及び／又は実行されかを確認する情報メッセージを受信する機能を含ませることができる。これで、リレーはその情報をリモコンに中継することができる。こうすることにより、携帯型リモコンのユーザインタフェースをリレーにとって都合の良い形に単純化することができ、ユーザは、発生したエラーの性格を確かめることができる。
【００６３】
リレーの使用はまた、建物内の器具全部をより包括的に管理できるようにする。実際、リレーは、リモコンからのシナリオ制御コマンドを単純に転送するのでなく、様々な器具に適した特定コマンドを生成し、送信する。これにより、実に多様なホームオートメーション器具一式の制御を管理することが可能となる。
【００６４】
例えば、ユーザが外出するとき、全部の器具のスイッチを切るというシナリオを持つのが望ましいとは単純には言えない。実際、屋外灯を点けておくこと、できれば所定の時間点けておくこと、シャッタの全部又は幾つかを半開にしておくこと、建物内に人が居るか居ないかに応じて警報を働かせるか止めるかすること、また、在室シミュレーション手段を起動させる、又は起動させないことをユーザが選ぶかもしれない。
【００６５】
そのため、様々な外出シナリオがリレーにおいてプログラムされる。リレーがある一定の数のシナリオと協働する事実は、プログラミングを単純にする。実際、多数の固定シナリオをプログラムする必要が無く、必要なのは、その発生がセンサで検出されるイベントにワンセットで応答するシナリオだけである。つまり、かかる応答に従ってシナリオは構成される。このような形態は、センサを全部同じリモコンの中に統合することだけ我慢すれば、携帯型リモコンにおいて実現できよう。このような場合でも、リレーの筐体が他の器具により使用されるセンサ及び自動機能を使用することは可能である。
【００６６】
設備の安全を確保するため、リレーにより、電動式ホームオートメーション器具を停止させるコマンドが転送できるようになっていても良い。
【００６７】
単一のシナリオがリレーにおいて定義される特別なケース（例えば、ユーザ外出シナリオ以外のシナリオが無いケース）では、リレーが携帯型リモコンからのメッセージを受信する単純な事実は、受信されたメッセージの内容に関係なくシナリオを実行する特定制御コマンドと解釈される。
【００６８】
シナリオはまた、リレーに働きかけるユーザが直接実現させることもできる。
【００６９】
都合が良いことには、本発明による操作の方法は、制御コマンドの受信及び／又は実行の成功又は失敗を報告するためにホームオートメーション器具からの情報をリレーに戻すステップを含むことである。
【００７０】
好ましくは、本発明による操作の方法はまた、シナリオの実行の成功又は失敗を通知するために、リレーからの情報を携帯型リモコに戻すステップを含む。
【図面の簡単な説明】
【００７１】
【図１】本発明に係るホームオートメーション設備の一実施例を示す説明図である。
【図２】図１に示した設備を操作する方法の一実施例の流れ図である。
【図３】図１に示した設備を操作する方法の変形実施例の流れ図である。
【図４】図１に示した設備を操作する方法の変形実施例の流れ図である。
【図５】図１に示した設備を操作する方法の変形実施例の流れ図である。
【符号の説明】
【００７２】
１    ホームオートメーション設備
２    携帯型リモコン
３    リレー
４    電動式巻上げブラインド装置（ホームオートメーション器具）
５    巻き上げブラインド
６，８，１３    センサ
７    照明装置（ホームオートメーション器具）
１０    警報システム（ホームオートメーション器具）
１１    電動ロック装置（ホームオートメーション器具）
２１、３１    送受信機（ハードウエア手段）
２２、３２    マイクロコントローラ（ハードウエア手段）
２４、３４    ユーザインタフェース（ハードウエア手段）
３９    セレクタ
４０    電動式門扉装置（ホームオートメーション器具）
４１    電動式ガレージ扉装置（ホームオートメーション器具）
【図１】
2007215185.tif 000003
【図２】
2007215185.tif 000004
【図３】
2007215185.tif 000005
【図４】
2007215185.tif 000006
【図５】
2007215185.tif 000007